(57)【要約】【課題】複数の環境で観察されることを前提とした画像を再現する色処理装置及び色処理方法を提供する。【解決手段】まず、第一の色信号を複数の観察環境でそれぞれ再現したときの再現色信号を環境色信号獲得部２で獲得する。ここで、ある観察環境を標準観察環境とし、その標準観察環境以外の観察環境に対応する再現色信号について、色順応モデルまたは色の見えモデルを用いて、標準観察環境下での色信号である修正再現色信号に修正部３で変換する。これにより標準観察環境における比較が可能となるので、変換した修正再現色信号について、標準観察環境に対応する再現色信号をもとに評価部４において評価値を算出する。色信号生成部６は、算出した評価値が閾値以上の修正再現色信号及び標準観察環境に対応する再現色信号を、重み設定部５で設定された重みにより加重平均し、第二の色信号を生成する。【選択図】図１
2007281620.tif 000002
【特許請求の範囲】
【請求項１】
第一の色信号から第二の色信号に変換する色処理装置において、前記第一の色信号を複数の観察環境で再現したときの再現色信号を獲得する環境色信号獲得手段と、ある観察環境を標準観察環境とし該標準観察環境以外の観察環境に対応する前記再現色信号について色順応モデルまたは色の見えモデルを用いて前記標準観察環境下での色信号である修正再現色信号に変換する修正手段と、前記修正手段で変換した修正再現色信号について前記標準観察環境に対応する再現色信号をもとに評価値を算出する評価手段と、前記評価値をもとに前記標準観察環境に対応する再現色信号及び前記修正再現色信号から前記第二の色信号を生成する色信号生成手段を有することを特徴とする色処理装置。
【請求項２】
さらに、各観察環境における色再現域の共通色域を作成する共通色域作成手段と、該共通色域外となる前記第二の色信号を前記共通色域の色に変換する色域マッピング手段を有することを特徴とする請求項１に記載の色処理装置。
【請求項３】
さらに、１以上の観察環境の環境情報を取得する環境情報取得手段を有することを特徴とする請求項１または請求項２に記載の色処理装置。
【請求項４】
前記環境情報取得手段は、前記環境情報として、光源の規格値や分光分布情報、あるいは、それらの情報を特定するＩＤ情報などを取得することを特徴とする請求項３に記載の色処理装置。
【請求項５】
さらに、利用者が１以上の観察環境を設定可能な環境情報設定手段を有していることを特徴とする請求項１または請求項２に記載の色処理装置。
【請求項６】
前記評価手段は、色差式またはメタメリズムインデックスを用いて評価値を算出することを特徴とする請求項１ないし請求項５のいずれか１項に記載の色処理装置。
【請求項７】
前記色信号生成手段は、前記標準観察環境に対応する再現色信号及び前記修正再現色信号の平均値あるいは中央値をもとに前記第二の色信号を生成することを特徴とする請求項１ないし請求項６のいずれか１項に記載の色処理装置。
【請求項８】
前記色信号生成手段は、前記評価値が閾値以上の修正再現色信号と前記標準観察環境に対応する再現色信号の平均値または中央値をもとに前記第二の色信号を生成することを特徴とする請求項１ないし請求項６のいずれか１項に記載の色処理装置。
【請求項９】
さらに、各観察環境下での想定利用範囲の重みを設定する重み設定手段を有し、前記色信号生成手段は、前記重み設定手段によって設定された重みに従って各修正再現色信号に重み付けを行って前記第二の色信号を生成することを特徴とする請求項１ないし請求項８のいずれか１項に記載の色処理装置。
【請求項１０】
さらに、各観察環境下での想定利用範囲の重みを設定し前記標準観察環境での影響に関する重みを利用して修正重みを算出する重み設定手段を有し、前記色信号生成手段は、前記重み設定手段によって算出された修正重みに従って各修正再現色信号に重み付けを行い、前記第二の色信号を生成することを特徴とする請求項１ないし請求項８のいずれか１項に記載の色処理装置。
【請求項１１】
前記色信号生成手段は、前記重み設定手段で設定された重みあるいは算出された修正重みに従って、各修正再現色信号及び前記標準観察環境に対応する再現色信号を加重平均した値をもとに前記第二の色信号を生成することを特徴とする請求項９または請求項１０に記載の色処理装置。
【請求項１２】
前記重み設定手段は、時刻や季節により前記重みを変更することを特徴とする請求項９ないし請求項１１のいずれか１項に記載の色処理装置。
【請求項１３】
前記観察環境は入力デバイスの観察環境であり、前記第一の色信号を前記入力デバイスの観察環境を加味した第二の色信号に変換することを特徴とする請求項１ないし請求項１２のいずれか１項に記載の色処理装置。
【請求項１４】
前記観察環境は出力デバイスの観察環境であり、前記第一の色信号を前記出力デバイスの観察環境を加味した第二の色信号に変換することを特徴とする請求項１ないし請求項１２のいずれか１項に記載の色処理装置。
【請求項１５】
第一の色信号から第二の色信号に変換する色処理方法において、前記第一の色信号を複数の観察環境で再現したときの再現色信号を環境色信号獲得手段で獲得し、ある観察環境を標準観察環境とし該標準観察環境以外の観察環境に対応する前記再現色信号について色順応モデルまたは色の見えモデルを用いて前記標準観察環境下での色信号である修正再現色信号に修正手段で変換し、変換した修正再現色信号について前記標準観察環境に対応する再現色信号をもとに評価値を評価手段で算出し、前記評価値をもとに前記標準観察環境に対応する再現色信号及び前記修正再現色信号から前記第二の色信号を色信号生成手段で生成することを特徴とする色処理方法。
【請求項１６】
さらに、各観察環境における色再現域の共通色域を作成する共通色域作成手段と、該共通色域外となる前記第二の色信号を前記共通色域の色に色域マッピング手段で変換することを特徴とする請求項１５に記載の色処理方法。
【請求項１７】
１以上の観察環境の環境情報を環境情報取得手段で取得することを特徴とする請求項１５または請求項１６に記載の色処理方法。
【請求項１８】
前記環境情報として、光源の規格値や分光分布情報、あるいは、それらの情報を特定するＩＤ情報などを取得することを特徴とする請求項１７に記載の色処理方法。
【請求項１９】
さらに、利用者が環境情報設定手段で１以上の観察環境を設定することを特徴とする請求項１５または請求項１６に記載の色処理方法。
【請求項２０】
前記評価値の算出は、色差式またはメタメリズムインデックスを用いて行うことを特徴とする請求項１５ないし請求項１９のいずれか１項に記載の色処理方法。
【請求項２１】
前記第二の色信号の生成は、前記標準観察環境に対応する再現色信号及び前記修正再現色信号の平均値あるいは中央値をもとに行うことを特徴とする請求項１５ないし請求項２０のいずれか１項に記載の色処理方法。
【請求項２２】
前記第二の色信号の生成は、前記評価値が閾値以上の修正再現色信号と前記標準観察環境に対応する再現色信号の平均値または中央値をもとに行うことを特徴とする請求項１５ないし請求項２０のいずれか１項に記載の色処理方法。
【請求項２３】
さらに、各観察環境下での想定利用範囲の重みを重み設定手段で設定し、設定された重みに従って各修正再現色信号に重み付けを行って前記第二の色信号を生成することを特徴とする請求項１５ないし請求項２２のいずれか１項に記載の色処理方法。
【請求項２４】
さらに、各観察環境下での想定利用範囲の重みを重み設定手段で設定し、前記標準観察環境での影響に関する重みを利用して修正重みを算出し、算出された修正重みに従って各修正再現色信号に重み付けを行い、前記第二の色信号を生成することを特徴とする請求項１５ないし請求項２２のいずれか１項に記載の色処理方法。
【請求項２５】
前記第二の色信号の生成は、設定した重みあるいは算出した修正重みに従って、各修正再現色信号及び前記標準観察環境に対応する再現色信号を加重平均した値をもとに行うことを特徴とする請求項２３または請求項２４に記載の色処理方法。
【請求項２６】
時刻や季節により前記重みを変更することを特徴とする請求項２３ないし請求項２５のいずれか１項に記載の色処理方法。
【請求項２７】
前記観察環境は入力デバイスの観察環境であり、前記第一の色信号を前記入力デバイスの観察環境を加味した第二の色信号に変換することを特徴とする請求項１５ないし請求項２６のいずれか１項に記載の色処理方法。
【請求項２８】
前記観察環境は出力デバイスの観察環境であり、前記第一の色信号を前記出力デバイスの観察環境を加味した第二の色信号に変換することを特徴とする請求項１５ないし請求項２６のいずれか１項に記載の色処理方法。
【請求項２９】
第１の画像信号を第２の画像信号に色変換するための色変換パラメータを生成する色変換パラメータ生成装置において、請求項１ないし請求項１２のいずれか１項に記載の色処理装置または請求項１５ないし請求項２６のいずれか１項に記載の色処理方法によって複数の前記第一の色信号を前記第二の色信号に変換する色信号対生成手段と、前記第一の色信号と該第一の色信号から前記色信号対生成手段で変換された前記第二の色信号との対から色変換パラメータを生成するパラメータ生成手段を有することを特徴とする色変換パラメータ生成装置。
【請求項３０】
第１の画像信号を第２の画像信号に色変換するための色変換パラメータを生成する色変換パラメータ生成方法において、請求項１ないし請求項１２のいずれか１項に記載の色処理装置または請求項１５ないし請求項２６のいずれか１項に記載の色処理方法によって色信号対生成手段で複数の前記第一の色信号を前記第二の色信号に変換し、前記第一の色信号と該第一の色信号から変換された前記第二の色信号との対から色変換パラメータをパラメータ生成手段で生成することを特徴とする色変換パラメータ生成方法。
【請求項３１】
第１の画像信号を第２の画像信号に色変換する画像処理装置において、請求項２９に記載の色変換パラメータ生成装置または請求項３０に記載の色変換パラメータ生成方法によって生成された色変換パラメータを用いて前記第１の画像信号を前記第２の画像信号に変換する変換手段を有することを特徴とする画像処理装置。
【請求項３２】
第１の画像信号を第２の画像信号に色変換する画像処理方法において、請求項２９に記載の色変換パラメータ生成装置または請求項３０に記載の色変換パラメータ生成方法によって生成された色変換パラメータを用いて変換手段で前記第１の画像信号を前記第２の画像信号に変換することを特徴とする画像処理方法。
【請求項３３】
コンピュータに、第一の色信号から第二の色信号に変換する色処理を実行させる色処理プログラムであって、請求項１ないし請求項１４のいずれか１項に記載の色処理装置の機能または請求項１５ないし請求項２８のいずれか１項に記載の色処理方法をコンピュータに実行させることを特徴とする色処理プログラム。
【請求項３４】
コンピュータに、第１の画像信号を第２の画像信号に色変換するための色変換パラメータを生成する処理を実行させる色変換パラメータ生成プログラムであって、請求項２９に記載の色変換パラメータ生成装置の機能または請求項３０に記載の色変換パラメータ生成方法をコンピュータに実行させることを特徴とする色変換パラメータ生成プログラム。
【請求項３５】
コンピュータに、第１の画像信号を第２の画像信号に色変換する処理を実行させる画像処理プログラムであって、請求項３１に記載の画像処理装置の機能または請求項３２に記載の画像処理方法をコンピュータに実行させることを特徴とする画像処理プログラム。
【請求項３６】
第一の色信号から第二の色信号に変換する色処理をコンピュータに実行させる色処理プログラムを格納したコンピュータが読取可能な記憶媒体において、請求項１ないし請求項１４のいずれか１項に記載の色処理装置の機能または請求項１５ないし請求項２８のいずれか１項に記載の色処理方法をコンピュータに実行させる色処理プログラムを格納したことを特徴とするコンピュータが読取可能な記憶媒体。
【請求項３７】
第１の画像信号を第２の画像信号に色変換するための色変換パラメータを生成する処理をコンピュータに実行させる色変換パラメータ生成プログラムを格納したコンピュータが読取可能な記憶媒体において、請求項２９に記載の色変換パラメータ生成装置の機能または請求項３０に記載の色変換パラメータ生成方法をコンピュータに実行させる色変換パラメータ生成プログラムを格納したことを特徴とするコンピュータが読取可能な記憶媒体。
【請求項３８】
第１の画像信号を第２の画像信号に色変換する処理をコンピュータに、実行させる画像処理プログラムを格納したコンピュータが読取可能な記憶媒体において、請求項３１に記載の画像処理装置の機能または請求項３２に記載の画像処理方法をコンピュータに実行させる画像処理プログラムを格納したことを特徴とするコンピュータが読取可能な記憶媒体。
【発明の詳細な説明】
【技術分野】
【０００１】
本発明は、異なる観察環境においても良好な反射画像を獲得するためのカラー画像処理技術に関するものである。
【背景技術】
【０００２】
カラー画像は、その色を表すために様々なデバイス色空間を用いている。デバイス色空間とは、例えば、印刷や電子写真などの画像形成装置のようなデバイスでは４色以上のインク（色材）での色空間、モニタ表示やカメラのようなデバイスではＲＧＢ色空間などが利用されている。また、デバイスに依存しない色空間として、三刺激値ＣＩＥＸＹＺやＣＩＥＣＡＭ０２色空間、ＬＭＳ色空間などがある。
【０００３】
異なるデバイス色空間の整合をとるために、色変換処理が必要とされている。整合性をとる際に利用される色空間としては、各種のデバイスに依存しない色空間が利用されるが、多くはＣＩＥＬＡＢのような知覚均等色空間を利用している。そのため、例えば色変換処理として色域マッピング処理を行う場合には、ＣＩＥＬＡＢ空間上で、２つのデバイス間で対応する色を決める処理となる。ここで、ＣＩＥＣＡＭ０２空間やＬＭＳ色空間を除く三刺激値ＣＩＥＸＹＺやＣＩＥＬＡＢ色空間は環境光に依存した値である。
【０００４】
反射画像やモニタの表示に利用している色信号は画像信号そのものだけでなく観察環境光の影響も受ける。規格上では照明環境はＤ５０環境が利用されており、多くの場合、Ｄ５０環境を前提とした入力信号や出力デバイス信号が利用されている。
【０００５】
このような環境に応じた色再現を行う従来の技術として、例えば特許文献１には、ユーザの指示に従い、ターゲット色と調色品との色の違いとしてメタメリズムインデックスを減少させるように色剤配合率を計算するＣＣＭ計算システムについて記載されている。また特許文献２においては、メタメリズムインデックスでは誤差が大きいとして、色見本と再現色の色の違いを分光反射率に基づく再現色算出指標の値が近い再現色の中から最も色見本に近い再現色を選択することが記載されている。さらに特許文献３では、ＣＩＥで規格化された色の見えモデルであるＣＩＥＣＡＭ９７ｓを利用して色変換を行うことが提案されている。これらの従来の技術によって、ある特定の観察環境において、最適な色再現が可能となる。
【０００６】
しかしながら、次の２つの場合に対応することができない。一つは、オフィスではＤ６５環境や色温度９５００Ｋの環境などの複数の観察環境が存在し、利用されているモニタの白色の色味が一意ではないことが挙げられる。さらに、窓からの外光や、オフィス天井の蛍光灯と共に電気スタンドを利用する場合のように複数の光源を伴って画像を観察したり、修正したりすることである。さらに、朝と昼と夜や季節に応じて、利用する環境条件が変化することもある。
【０００７】
もう一つは、作業をある観察環境で行い、作成時とは別の環境光下で観察するための画像を獲得したい場合である。例えば、オフィスの机上で資料を作成し、その資料を配布して観察する際には、会議室のような場合や顧客の面談室で提示する場合などが該当する。つまり、利用する観察環境が一意に限定できない場合や複数存在する場合である。そのために、単純にＤ５０環境を前提にしたり、１つだけの観察環境に限定してその観察環境に合わせた画像を出力しただけでは、複数の観察環境に対応することができないという問題があった。
【０００８】
【特許文献１】特開２００２−０９０２２２号公報
【特許文献２】特開２００４−０６４５５３号公報
【特許文献３】特開２００５−００５８０２号公報
【発明の開示】
【発明が解決しようとする課題】
【０００９】
本発明は、上述した事情に鑑みてなされたもので、複数の環境で観察されることを前提とした画像を再現する色処理装置及び色処理方法と画像処理装置及び画像処理方法を提供するとともに、画像処理時に利用可能な色変換パラメータを生成する色変換パラメータ生成装置及び色変換パラメータ生成方法を提供することを目的とするものである。さらに、そのような色処理装置の機能及び色処理方法、色変換パラメータ生成装置の機能及び色変換パラメータ生成方法、画像処理装置の機能及び画像処理方法をコンピュータにより実現するためのプログラム、そのプログラムを格納した記憶媒体を提供することを目的とするものである。
【課題を解決するための手段】
【００１０】
本発明は、第一の色信号から第二の色信号に変換する色処理装置及び色処理方法において、まず、第一の色信号を複数の観察環境で再現したときの再現色信号を獲得する。ここで、ある観察環境を標準観察環境とし、その標準観察環境以外の観察環境に対応する前記再現色信号について、色順応モデルまたは色の見えモデルを用いて、標準観察環境下での色信号である修正再現色信号に変換する。これにより標準観察環境における比較が可能となるので、変換した修正再現色信号について、標準観察環境に対応する再現色信号をもとに評価値を算出し、この評価値をもとに、標準観察環境に対応する再現色信号及び他の観察環境に対応する修正再現色信号から第二の色信号を生成することを特徴としている。
【００１１】
評価値の算出は、色差式またはメタメリズムインデックスを用いて行うことができる。また、第二の色信号の生成は、標準観察環境に対応する再現色信号及び修正再現色信号の平均値あるいは中央値をもとに行うことができる。特に、評価値が閾値以上の修正再現色信号と前記標準観察環境に対応する再現色信号の平均値または中央値をもとに行うことができる。
【００１２】
さらに、各観察環境下での想定利用範囲の重みを設定し、設定された重みに従って、あるいはさらに標準観察環境での影響に関する重みを利用して重みを修正して、各修正再現色信号に重み付けを行って、例えば加重平均などの値をもとに第二の色信号を生成することができる。このとき、重みは時刻や季節により変更することができる。
【００１３】
なお、任意の観察環境を与えるほか、観察環境として複数の入力デバイスの観察環境を与えれば、入力デバイスの観察環境を加味した第二の色信号に変換することができる。また、出力デバイスの観察環境を与えれば、出力デバイスの観察環境を加味した第二の色信号に変換することができる。
【００１４】
また本発明は、第１の画像信号を第２の画像信号に色変換するための色変換パラメータを生成する色変換パラメータ生成装置及び色変換パラメータ生成方法であって、上述のような色処理装置及び色処理方法を用いて第一の色信号を第二の色信号に変換し、その第一の色信号と第二の色信号との対をもとに、色変換パラメータを生成することを特徴とするものである。
【００１５】
さらに本発明は、第１の画像信号を第２の画像信号に色変換する画像処理装置であって、色変換パラメータ生成装置及び色変換パラメータ生成方法により得られた色変換パラメータを用いて、第１の画像信号を第２の画像信号に変換することを特徴とするものである。
【００１６】
さらにまた本発明は、上述のような色処理装置の機能または色処理方法をコンピュータに実行させる色処理プログラムと、上述のような色変換パラメータ生成装置の機能または色変換パラメータ生成方法をコンピュータに実行させる色変換パラメータ生成プログラムと、上述のような画像処理装置の機能または画像処理方法をコンピュータに実行させる画像処理プログラムを提供するものであり、また、それらのプログラムを格納した記憶媒体を提供するものである。
【発明の効果】
【００１７】
本発明によれば、複数の観察環境における再現色の違いを考慮して第一の色信号を第二の色信号に変換しているので、複数の観察環境のいずれであってもほぼ同様の色再現がなされた画像を得ることができるという効果がある。
【発明を実施するための最良の形態】
【００１８】
図１は、本発明の色処理装置及び色処理方法の実施の一形態を示すブロック図である。図中、１は環境情報取得部、２は環境色信号獲得部、３は修正部、４は評価部、５は重み設定部、６は色信号生成部、７は共通色域作成部、８は色域マッピング部である。
【００１９】
環境情報取得部１は、１以上の観察環境の環境情報を取得する。環境情報としては、例えば光源の規格値や分光分布情報等が考えられる。あるいは、それらの環境情報を登録しておき、それらを特定するＩＤ情報を取得するように構成してもよい。これらの環境情報は、ユーザが選択あるいは設定可能に構成してもよい。
【００２０】
環境色信号獲得部２は、環境情報取得部１で取得した観察環境のそれぞれについて、第一の色信号を各観察環境で再現したときの再現色信号を獲得する。例えば第一の色信号により色票を印刷して、その色票を各観察環境において測色することにより、各観察環境に対応する再現色信号を得ることができる。もちろん、このほかの方法で再現色信号を獲得してもよい。
【００２１】
修正部３は、ある観察環境を標準観察環境とし、その標準観察環境以外の観察環境に対応する再現色信号について、環境情報取得部１で取得した環境情報をもとに色順応モデルまたは色の見えモデルを用いて、標準観察環境下での色信号である修正再現色信号に変換する。この変換によってそれぞれの再現色信号は同じ観察環境下で比較することができるようになる。なお標準観察環境は、予め設定しておくほか、後述する重み設定部５で最も重みが大きい観察環境を標準観察環境として設定するなど、種々の設定方法が考えられる。
【００２２】
評価部４は、修正部３で変換した修正再現色信号について、標準観察環境に対応する再現色信号をもとに、評価関数を用いて評価値を算出する。評価値の算出は、色差式またはメタメリズムインデックスなどを用いて行うことができる。
【００２３】
重み設定部５は、各観察環境下での想定利用範囲の重みを設定する。あるいはさらに、標準観察環境での影響に関する重みを利用して各重みを修正し、修正重みを算出してもよい。例えば複数の環境光の下で観察する場合、それぞれの環境光の影響に割合に応じて、それぞれの環境光での観察環境に対応する重みを設定することができる。あるいは、観察する場所が異なる場合などでは、それぞれの場所での観察環境の重要度などにより重みを設定することができる。また、外光などの環境光では、時刻（日中や朝夕、夜等）や季節により光量や色温度が異なるため、重みを時刻や季節により変更できるようにするとよい。
【００２４】
色信号生成部６は、標準観察環境に対応する再現色信号及び前記修正再現色信号から、例えば平均値あるいは中央値を算出し、それをもとに第二の色信号を生成する。このとき、再現色信号については評価値を閾値と比較し、評価値が閾値以上となる再現色信号を演算の対象としてもよい。さらに、重み設定部５で設定された重みあるいは修正重みを用い、各修正再現色信号に重み付けを行って加重平均を求め、その加重平均をもとに第二の色信号を生成してもよい。
【００２５】
共通色域作成部７は、各観察環境における色再現域の共通色域を作成する。
【００２６】
色域マッピング部８は、色信号生成部６で生成した第二の色信号が、共通色域作成部７で作成した共通色域の外部の色である場合に、その第二の色信号を共通色域の色に変換する。
【００２７】
次に、本発明の色処理装置及び色処理方法の実施の一形態における動作の一例について説明する。図２は、本発明を利用する環境の一例の説明図である。図中、１１，１２は部屋、１３は窓、１４，１８は室内灯、１５はスタンド、１６はディスプレイ、１７はプリント紙である。例えば図２（Ａ）に示した例では、部屋１１には天井に室内灯１４が設けられ、蛍光灯などの光源が室内を照明している。また窓１３が設けられており、外光が差し込んでいる。ディスプレイ１６では、室内灯１４からの光や窓１３からの光を受けた状態で画像を観察することになる。
【００２８】
一方、プリント紙１７に印刷された画像は、室内灯１４からの光とともに、スタンド１５からの光を受けて観察されている。さらに窓１３からの外光の影響を受けている場合もある。このように、実際の画像の観察環境では、単一の環境光の影響だけを受けているとは限らず、むしろ複数の環境光の影響を受けていることが多い。
【００２９】
さらに、図２（Ｂ）に示す例では、図２（Ａ）と同じプリント紙１７を部屋１２においても観察している。部屋１２では室内灯１８からの光を受けて観察することになるが、この室内灯１８が部屋１１の室内灯１４と同じであるとは限らない。またスタンド１５の光を受けていた場合とも異なる観察環境である。このような異なる観察環境で同じ画像を観察する場合も想定される。
【００３０】
本発明の色処理装置及び色処理方法では、このような複数の環境光の影響を受けて画像を観察する場合や、異なる観察環境で同じ画像を観察する場合においても、良好な色再現を行うものである。
【００３１】
図３は、本発明の色処理装置及び色処理方法の実施の一形態における動作の一例を示すフローチャート、図４は、同じく色信号の流れの一例の説明図である。図４においては、環境光がＦ１１の観察環境（以下、観察環境Ｆ１１）と環境光がＤ５０の観察環境（以下、観察環境Ｄ５０）の２つの観察環境に対応する第二の色信号に変換する場合について示している。なお、処理対象の色信号としては、ＣＩＥＸＹＺやＣＩＥＣＡＭ０２、ＣＩＥＬＡＢ、ＣＩＥＬＡＢを補正して等色相とした色信号、その他各種の色信号でよいが、説明のために、以降のすべての信号をＣＩＥＬＡＢとする。
【００３２】
Ｓ２１において、環境情報取得部１において観察環境を取得するとともに、重み設定部５において各観察環境の重みを設定する。ここでは、観察環境を上述のように観察環境Ｆ１１及び観察環境Ｄ５０とし、それぞれの重みを３割、７割と設定したとする。
【００３３】
Ｓ２２において、第一の色信号に対応する色票を印刷し、その色票を複数の観察環境下で測色することにより、環境色信号獲得部２での再現色信号の獲得を行う。これにより、観察環境Ｆ１１における測色により再現色信号ＣＩＥＬＡＢ１（Ｆ１１）が得られ、観察環境Ｄ５０における測色により再現色信号ＣＩＥＬＡＢ２（Ｄ５０）が得られる。これらの再現色信号を図４（Ａ）に示している。なお、各観察環境下での測色は、普及している色計測装置を用いることにより値を直接獲得できる。あるいは、色票の分光分布を計測して任意の環境光に適応することも可能である。
【００３４】
Ｓ２３において、まず、標準観察環境を決める。例えば、重みが最も重い観察環境を標準観察環境とすることができる。ここでは観察環境Ｆ１１の重みを３割、観察環境Ｄ５０の重みを７割と設定したので、観察環境Ｄ５０を標準観察環境とする。もちろん、標準観察環境は任意に設定することができ、予め決めておいてもよい。そして修正部３は、標準観察環境以外の観察環境に対応する再現色信号について、標準観察環境下での修正再現色信号に変換する。このときの変換は、色順応モデルＣＡＴや色の見えモデルＣＡＭなどを利用することができる。ここで、色順応モデルは完全順応でなく、不完全順応モデルであってもよく、変換の方法は限定されない。
【００３５】
この例では標準観察環境を観察環境Ｄ５０としたので、観察環境Ｆ１１の再現色信号ＣＩＥＬＡＢ１（Ｆ１１）について、観察環境Ｄ５０での色信号に変換する。変換された修正再現色信号をＣＩＥＬＡＢ１（Ｄ５０）とする。この修正再現色信号ＣＩＥＬＡＢ１（Ｄ５０）を図４（Ｂ）に示している。なお、この例では標準観察環境の再現色信号ＣＩＥＬＡＢ２（Ｄ５０）についてはそのまま変換しない。
【００３６】
Ｓ２４において、評価部４で評価関数を用いて各修正再現色信号について評価値を算出する。評価値の算出は、色差式ＤＥ２０００またはメタメリズムインデックスなどを用いて行うことができる。もちろん、評価関数は他の色差式であってもよく、また別途、主観的な重みに基づき生成してもよい。Ｓ２３における標準観察環境への変換によって、同じ観察環境下における評価を可能にしている。なお、処理上はＳ２３における標準観察環境への変換と評価関数による評価値の算出を一体化することが望ましい。図４（Ｃ）においては、色差式ＤＥ２０００による評価を行っている例を示している。
【００３７】
Ｓ２５において、Ｓ２４で算出した評価値が閾値以下であれば、それほど色差がないことから再現色信号ＣＩＥＬＡＢ２（Ｄ５０）をそのまま利用する。また、評価値が閾値を越えていたならば、重み設定部５で設定した重みを用いて加重平均を行うことにより、最終的な第二の色信号に変換する。加重平均は、例えばそれぞれの色成分毎に行うことができる。
【００３８】
例えば修正再現色信号ＣＩＥＬＡＢ１（Ｄ５０）と再現色信号ＣＩＥＬＡＢ２（Ｄ５０）の色差が閾値以下であれば、再現色信号ＣＩＥＬＡＢ２（Ｄ５０）をそのまま第二の色信号ＣＩＥＬＡＢ３（Ｆ１１＋Ｄ５０）とする。また、色差が閾値より大きい場合には、修正再現色信号ＣＩＥＬＡＢ１（Ｄ５０）と再現色信号ＣＩＥＬＡＢ２（Ｄ５０）のＬ* ，ａ* ，ｂ* それぞれについて、加重平均を行う。重みは、ここでは一例として観察環境Ｆ１１を３割、観察環境Ｄ５０を７割としているので、この割合により加重平均を行うことになる。これにより、第二の色信号ＣＩＥＬＡＢ３（Ｆ１１＋Ｄ５０）を算出することができる（図４（Ｄ））。
【００３９】
最後に、Ｓ２６において、必要に応じて色域マッピング部８で色域マッピング処理を行うことができる。例えば共通色域作成部７で観察環境Ｆ１１と観察環境Ｄ５０のそれぞれの色再現域の共通部分を共通色域として作成し、Ｓ２５で算出した第二の色信号ＣＩＥＬＡＢ３（Ｆ１１＋Ｄ５０）が共通色域外となる場合には、共通色域の色（例えば共通色域外郭上の色）となるように色域マッピング処理を行えばよい。
【００４０】
このようにして、複数の観察環境に対応した色信号に変換することができる。例えば上述の図２に示したような複数の光源からの光を受けている観察環境や、異なる環境光のもとで同じ画像を観察する場合等においても、良好な色再現を実現することができる。また、観察環境として入力デバイスの観察環境を与えれば入力デバイスの観察環境を加味した第二の色信号を得ることができるし、出力デバイスの観察環境を与えれば出力デバイスの観察環境を得ることができる。なお、上述の例では２つの観察環境（観察環境Ｆ１１と観察環境Ｄ５０）を例にして説明したが、これらの観察環境に限られないことは言うまでもないし、３以上の観察環境を考慮した場合も、同様にして色変換を行うことができる。
【００４１】
図５は、本発明の色変換パラメータ生成装置及び画像処理装置または色変換パラメータ生成方法及び画像処理方法を実現するための実施の一形態を示すブロック図である。図中、３１は色信号対生成部、３２はパラメータ生成部、３３は変換部である。ここでは、図１に示した本発明の色調整装置または色調整方法を用いて色変換パラメータを生成し、その色変換パラメータを用いて画像の色変換を行うように構成した例を示している。
【００４２】
色信号対生成部３１は、上述の本発明の色調整装置または色調整方法を実現する構成であり、多くの第一の色信号に対応する第二の色信号を得ることによって、第一の色信号と第二の色信号との対である色信号対を複数得る。パラメータ生成部３２では、色信号対生成部３１で得られた複数の色信号対をもとに、変換部３３で実際に画像の色変換を行う際に用いる色変換パラメータを生成する。この色変換パラメータは変換部３３における色変換方法によって異なるが、例えば色変換方法として補間付きのダイレクトルックアップテーブルを用いる場合には、ルックアップテーブルのエントリ（格子点）となる色を第一の色信号とし、得られた第二の色信号をテーブル値として設定すればよい。あるいは、複数の色信号対をもとに色変換モデルを作成し、その色変換モデルをもとに、上述の補間付きのダイレクトルックアップテーブルを含む各種の色変換方式に対応する色変換パラメータを生成してもよい。
【００４３】
変換部３３は、パラメータ生成部３２で生成された変換パラメータを用い、入力された第１の画像信号に対して色変換処理を行い、第２の画像信号を得る。
【００４４】
このようにして、第１の画像信号を、複数の観察環境（環境光）が存在する環境で参照する場合、あるいは異なる複数の観察環境で参照する場合などに対応した第２の画像信号に変換することができる。
【００４５】
なお、図５に示した第一の色信号から第二の色信号への色変換とそれを用いた色変換パラメータの生成、そしてその色変換パラメータを用いた画像の色変換処理は、一連の処理としてその時々の観察環境に応じた画像処理を行うこともできるし、あるいは、予め想定した観察環境の組み合わせで複数の色変換パラメータを用意しておき、画像信号に対する色変換処理を行う時点で、画像の利用状況に応じて色変換パラメータを選択するように構成してもよい。
【００４６】
また、図５に示したパラメータ生成部３２と変換部３３は同一の装置内に存在していなくてもよく、本発明の色変換パラメータ生成装置であるパラメータ生成部３２と本発明の画像処理装置である変換部３３を別体とし、パラメータ生成部３２で予め生成した変換パラメータを、変換部３３が存在する装置に入力し、色変換を行うように構成するなど、その構成形態は任意である。もちろん、本発明の色調整装置とパラメータ生成部３２が一体となった構成や、パラメータ生成部３２と変換部３３が一体となった構成でもよく、さらには図５に示した構成が一体となっていてもかまわない。
【００４７】
図６は、本発明の色調整装置の機能または色調整方法や、色変換パラメータ生成装置の機能または色変換パラメータ生成方法、画像処理装置の機能または画像処理方法をコンピュータプログラムで実現した場合におけるコンピュータプログラム及びそのコンピュータプログラムを格納した記憶媒体の一例の説明図である。図中、４１はプログラム、４２はコンピュータ、５１は光磁気ディスク、５２は光ディスク、５３は磁気ディスク、５４はメモリ、６１は光磁気ディスク装置、６２は光ディスク装置、６３は磁気ディスク装置である。
【００４８】
上述の各実施の形態で説明した各部の機能の一部または全部を、コンピュータにより実行可能なプログラム４１によって実現することが可能である。その場合、そのプログラム４１およびそのプログラムが用いるデータなどは、コンピュータが読み取り可能な記憶媒体に記憶することも可能である。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達できるものである。例えば、光磁気ディスク５１，光ディスク５２（ＣＤやＤＶＤなどを含む）、磁気ディスク５３，メモリ５４（ＩＣカード、メモリカードなどを含む）等である。もちろんこれらの記憶媒体は、可搬型に限られるものではない。
【００４９】
これらの記憶媒体にプログラム４１を格納しておき、例えばコンピュータ４２の光磁気ディスク装置６１，光ディスク装置６２，磁気ディスク装置６３，あるいは図示しないメモリスロットにこれらの記憶媒体を装着することによって、コンピュータからプログラム４１を読み出し、本発明の色調整装置の機能または色調整方法や、色変換パラメータ生成装置の機能または色変換パラメータ生成方法、画像処理装置の機能または画像処理方法を実行することができる。あるいは、予め記憶媒体をコンピュータ４２に装着しておき、例えばネットワークなどを介してプログラム４１をコンピュータ４２に転送し、記憶媒体にプログラム４１を格納して実行させてもよい。
【００５０】
もちろん、一部の機能についてハードウェアによって構成することもできるし、すべてをハードウェアで構成してもよい。あるいは、本発明の色調整装置の機能または色調整方法と色変換パラメータ生成装置の機能または色変換パラメータ生成方法、あるいは、色変換パラメータ生成装置の機能または色変換パラメータ生成方法と画像処理装置の機能または画像処理方法、さらにはこれら３つをまとめてソフトウェア化することも可能であるし、他の構成とともに本発明も含めたプログラムとして構成することも可能である。例えば変換部３３を複写機や画像形成装置における制御プログラムとともに１つのプログラムとして構成することもできる。もちろん、他の用途に適用する場合には、その用途におけるプログラムとの一体化も可能である。
【図面の簡単な説明】
【００５１】
【図１】本発明の色処理装置及び色処理方法の実施の一形態を示すブロック図である。
【図２】本発明を利用する環境の一例の説明図である。
【図３】本発明の色処理装置及び色処理方法の実施の一形態における動作の一例を示すフローチャートである。
【図４】本発明の色処理装置及び色処理方法の実施の一形態における動作の一例での色信号の流れの一例の説明図である。
【図５】本発明の色変換パラメータ生成装置及び画像処理装置または色変換パラメータ生成方法及び画像処理方法を実現するための実施の一形態を示すブロック図である。
【図６】本発明の色調整装置の機能または色調整方法や、色変換パラメータ生成装置の機能または色変換パラメータ生成方法、画像処理装置の機能または画像処理方法をコンピュータプログラムで実現した場合におけるコンピュータプログラム及びそのコンピュータプログラムを格納した記憶媒体の一例の説明図である。
【符号の説明】
【００５２】
１…環境情報取得部、２…環境色信号獲得部、３…修正部、４…評価部、５…重み設定部、６…色信号生成部、７…共通色域作成部、８…色域マッピング部、１１，１２…部屋、１３…窓、１４，１８…室内灯、１５…スタンド、１６…ディスプレイ、１７…プリント紙、３１…色信号対生成部、３２…パラメータ生成部、３３…変換部、４１…プログラム、４２…コンピュータ、５１…光磁気ディスク、５２…光ディスク、５３…磁気ディスク、５４…メモリ、６１…光磁気ディスク装置、６２…光ディスク装置、６３…磁気ディスク装置。
【図１】
2007281620.tif 000003
【図２】
2007281620.tif 000004
【図３】
2007281620.tif 000005
【図４】
2007281620.tif 000006
【図５】
2007281620.tif 000007
【図６】
2007281620.tif 000008